(57)【要約】【課題】サロンに通わなくてもサロンに通ったと同様の施術を行うことができる美容システムを提供することを目的とする。【解決手段】サーバ１と端末美容機器２とが双方向通信を行い、さーば１は、端末美容機器２を使用する客のカルテデータ１Ａや履歴データ１Ｂの少なくとも一方を参照して施術プランを施術データ１Ｃから決定し、端末美容機器２に出力する。端末美容機器２は、施術プランに基づいてパターンデータ２Ａ及び強度データ２Ｂを読み出して該端末美容機器を制御する。そして端末美容機器２の作動の履歴が、該端末美容機器２の履歴データ２Ｃに蓄積されると共に、サーバ１にフィードバックされる。従って、サロンに通わなくても、常に最新の状況に基づいてサロンでエステティシャンが行うのと同様の施術が行える。【選択図】　　　　図１
2004054511.tif 000002
【特許請求の範囲】
【請求項１】
カルテデータ、施術データ、履歴データを蓄積したサーバと、機器出力のパターンデータ、出力の強度データ、履歴データを蓄積した端末美容機器とを備え、前記サーバと前記端末美容機器とを双方向通信可能に接続して使用する美容システムであって、前記サーバは、使用開始時に前記端末美容機器から送信された前記カルテデータ及び履歴データにより該カルテデータ及び履歴データを再構成した後、再構成された該カルテデータと該履歴データの少なくとも一方に基づいて前記施術データから施術プランを決定し、前記端末美容機器に対して出力し、一方、前記端末美容機器は、前記サーバから出力された前記施術プランに基づいて、蓄積された前記パターンデータ及び前記強度データを読み出して施術を行い、この施術の履歴を履歴データとして蓄積することを特徴とする美容システム。
【請求項２】
サーバにはアンケートデータが蓄積され、該サーバは前記アンケートデータを端末美容機器に出力し、端末美容機器から出力された応答データに基づいて施術データから施術プランを決定することを特徴とする請求項１記載の美容システム。
【請求項３】
前記端末美容機器には計測部を備え、該端末美容機器は計測部による計測結果を送信し、サーバがこの計測結果を加えて施術プランを決定することを特徴とする請求項１又は２記載の美容システム。
【発明の詳細な説明】
【０００１】
【発明の属する技術分野】
本発明は、客がエステティックサロン（以下、サロンという）に通わなくてもサロンに通ったのと同様の施術を行うことができる美容システムに関するものである。
【０００２】
【従来の技術】
いわゆるサロンでは、例えば美容に関する痩身などを行うべく、病院のごとく客のカルテをとったり、問診をして、エステティシャン自身による施術、あるいは機器によってエステティシャンが決定した施術が行われる。
【０００３】
昨今では、サロンに設置されている高性能な機器が手頃な価格で入手可能（サロンが販売している場合もある）になっており、客はサロンに通わなくてもある程度の施術が自宅でできるようになりつつある。
【０００４】
【発明が解決しようとする課題】
しかしながら、従来のように高性能な美容機器が入手できたとしても、その美容機器を使用してサロンと同じように施術ができないといった問題があった。この理由は、以下の通りである。なお、以下、本願では、美容機器を購入した者もサロンへ通う者も、「客」ということとする。
【０００５】
（１）客の美容に関する相談を聞き、それに基づいて適切なアドバイスをする（担当）エステティシャンがいない。（２）客ごとに異なる体質、生活習慣などをまとめたカルテがない。（３）最も適切なプランが客自身では決定できない。（４）客自身の判断で機器を設定する。
【０００６】
つまり、従来は、高性能な美容機器を入手しても、誤った使い方や、自分の体質等に合わない使い方をすると、美容効果が上がらず、サロンと同様の美容機器を有しながらも、その美容機器による満足な施術ができないといった問題があった。
【０００７】
本発明は、上記の問題を解決するものであり、サロンに通わなくてもサロンに通ったと同様の施術を行うことができる美容システムを提供することを目的とする。
【０００８】
【課題を解決するための手段】
上記の目的を達成するために、本発明は、カルテデータ、施術データ、履歴データを蓄積したサーバと、パターンデータ、強度データ、履歴データを蓄積した端末美容機器とを双方向通信可能に接続し、サーバでは使用開始時に端末美容機器から送信されたカルテデータ及び履歴データを再構成した後、再構成された該カルテデータと該履歴データの少なくとも一方に基づいて施術データから施術プランを決定し、端末美容機器に対して出力し、端末美容機器では、サーバから出力された施術プランに基づいて、パターンデータ及び強度データを読み出して施術を行い、この施術の履歴を履歴データとして蓄積するようにしたのである。このようにすることで、サロンに通ったのと同様の施術が行える。
【０００９】
【発明の実施の形態】
本発明の美容システムは、カルテデータ、施術データ、履歴データを蓄積したサーバと、機器出力のパターンデータ、出力の強度データ、履歴データを蓄積した端末美容機器とを備え、サーバと端末美容機器とを双方向通信可能に接続して使用する美容システムであって、サーバは、使用開始時に端末美容機器から送信されたカルテデータ及び履歴データにより該カルテデータ及び履歴データを再構成した後、再構成された該カルテデータと該履歴データの少なくとも一方に基づいて施術データから施術プランを決定し、端末美容機器に対して出力し、一方、端末美容機器は、サーバから出力された施術プランに基づいて、蓄積されたパターンデータ及び強度データを読み出して施術を行い、この施術の履歴を履歴データとして蓄積するものである。
【００１０】
上記構成によれば、在宅で施術を行う際に欠如しているのは上記した（１）〜（４）の要素である。すなわち、これらの欠如要素が備えられるならば、サロンへ通わなくても自宅で適切な施術が行える。
【００１１】
そこで、本発明は、（１）客の美容に関する相談を聞き、それに基づいて適切なアドバイスをする（担当）エステティシャンがいない点を解消するために、客先に設置する美容機器をサロンと双方向通信可能とした。
【００１２】
これによって、客の美容に関する相談等のデータは、カルテデータとしてサーバに蓄積され、サロン側のアドバイス等のデータは施術プランとして端末美容機器に送信される。このように双方向通信が行われることで、サロンに客が行かなくても、エステティシャンの適切なアドバイスに基づいた端末美容機器の設定が可能となる。
【００１３】
また、本発明は、（２）客ごとに異なる体質、生活習慣などをまとめたカルテがない点を解消するために、サーバに客のカルテデータと、施術の履歴データとを蓄積した。
【００１４】
このようにすることで、客の例えば識別番号や氏名などに応じた客自身の様々なデータを読み出すことが可能となり、サーバはこの蓄積された上記データに基づいて施術データから施術プランを決定できる。従って客に合った適切な施術が可能となる。
【００１５】
また、本発明は、（３）最も適切なプランが客自身では決定できない点を解消するために、端末美容機器から出力された又は該サーバに蓄積されたカルテデータと履歴データの少なくとも一方に基づいて施術データから施術プランを決定するようにした。
【００１６】
すなわち、サロンに客が通った場合は、エステティシャンが客のカルテを参照し、客に問診を行い、過去の施術と結果などを総合的に判断して、今回の施術方針を決定する。このサロンにおけるエステティシャンの施術方針の決定工程を、使用開始時にデータの送受信を行い、カルテデータと履歴データを再構成したうえでサーバにおいて行うようにしたのである。
【００１７】
例えばカルテデータから、客の施術前の身長、体重、体脂肪、と理想の（目標の）それらとを読み出す。そして、施術の履歴データを読み出して、現状の状況と予測状況とを比較する。その後、この比較結果に応じて施術データから施術プランが決定され、端末美容機器に出力される。よって、端末美容機器はエステティシャンが操作するのと同様の動作を行うから、サロンに通ったと同様の施術が行える。
【００１８】
また、本発明は、（４）客自身の判断で機器を設定する点を解消するために、上記したように施術プランが決定されるようにした。なお、この施術プランは、端末美容機器を制御する信号であり、例えば端末美容機器が低・中周波を発生して筋肉を振動させる美容機器であれば、予め端末美容機器に記憶された各種の波形及び強弱並びに作動時間（タイマ）を読み出す旨の信号である。
【００１９】
ここで、施術プランとして波形や強弱のデータそのものを送らないのは、転送データ量が大きくなるからである。転送データ量が大きくなることは、単にサーバや端末美容機器への通信負荷が大きくなることのみならず、後述するようにこの施術プランを履歴データとして蓄積する領域の圧迫も意味する。従って、波形や強弱の設定データは、予め端末美容機器に蓄積しておき、施術プランとしてサーバから出力される信号は、この端末美容機器に蓄積された設定を読み出す（指定する）旨の信号としたのである。
【００２０】
以上のように構成された本発明の美容システムは、サーバと端末美容機器とが双方向通信を行い、また、この双方向通信において、端末美容機器を使用する客のカルテデータや施術の履歴データ等を参照して、サーバが今回の施術プランを決定し、この施術プランに基づいて端末美容機器がパターンデータと強度データを読み出して施術を行う。
【００２１】
そして、施術の日時、回数、時間などの端末美容機器の作動の履歴が次回のサーバ接続時にフィードバックされ、新しい施術プランを設定するか否かを決定するデータとして再構成される。従って、サロンに通わなくても、常に最新の状況に基づいてサロンでエステティシャンが行うのと同様の施術が行える。
【００２２】
また、本発明は、上記に加えて、サーバにはアンケートデータが蓄積され、サーバはこのアンケートデータを端末美容機器に出力し、端末美容機器から出力された応答データに基づいて施術データから施術プランを決定するようにすれば、より詳細で適切なプランによって施術を行うことができるようになる。
【００２３】
具体的には、サーバは、問診や客のリクエストに応えるべく例えば選択式のアンケートデータを蓄積しており、これを端末美容機器に出力する。端末美容機器では、このアンケートデータについて番号、例えば１つの質問について回答１〜５の回答の場合０１０３（質問１に対して３を回答した）などと入力し、サーバに出力する。サーバでは、端末から返信されたアンケートデータ（の番号）を問題と共にカルテデータに反映させたり、特別に領域を設けて蓄積する。
【００２４】
そして、サーバは、端末美容機器から出力された上記カルテデータを蓄積し、このアンケートデータも参照して施術データから施術プランを決定する。このようにすることで、客の要望にも応えられるようになると共に、さらにきめ細やかな施術を行うことができるようになる。
【００２５】
さらに、本発明は、上記に加えて、端末美容機器には計測部を備え、該端末美容機器が計測部による計測結果を送信し、サーバがこの計測結果を加えて施術プランを決定するようにすれば、さらに詳細で適切なプランによって施術を行うことができるようになる。
【００２６】
端末美容機器には、例えば体脂肪や体重や長さといったように身体の各部を計測するための計測部を備えている。この計測部で計測した各値は、例えば履歴データと共にサーバに送信される。そして、サーバは、例えば今回の計測値が前回に較べて増加している際には、施術プランをより強い（出力のみを意味するのではなく、全体の効果が大きいことを意味する）ものに決定するといったように、これら計測値をも施術プランを決定のためのデータとして参照するようにしたのである。
【００２７】
具体的には、端末美容機器の履歴データに、計測部の作動の履歴を加えてサーバに出力する。このようにすれば、端末美容機器を通して、端末美容機器の作動自体の履歴、カルテ、体型の推移、といったように客のトータル的な変化を管理することができ、これらに基づいて適切で詳細な施術プランを決定することが可能になる。
【００２８】
【実施例】
以下に本発明の美容システムの実施例について図面を参照して説明する。
図１は本発明の美容システムの概略構成を示す。図２は本発明の美容システムの動作を示す。図３〜図５は端末美容機器における表示部の表示例を示す。図６はサーバにおける施術プラン決定アルゴリズムを示す。図７はパターンデータを、図８は強度データを、それぞれ示す。
【００２９】
本発明の美容システムは、サーバ１と端末美容機器２とからなり、これらサーバ１と端末美容機器２とは、後述する通信部１ｂ，２ｂによって相互に例えば電話回線、ネットワークケーブル、無線などの手段にて双方向通信可能に接続されている。
【００３０】
なお、以下の説明では、双方向通信により送受される信号自体については各々「〜信号」と記し、サーバ１及び端末美容機器２に蓄積されたデータについては各々「〜データ」と記すこととする。
【００３１】
サーバ１には、客の様々な個人的なデータを記憶した例えば表示上では図４に示すようなカルテデータ１Ａと、施術の履歴を記憶した履歴データ１Ｂ（表示上では図４下部に示すようになる）と、図７及び図８のテーブルを記憶した施術データ１Ｃと、問診を含む様々な選択式アンケートを記憶したアンケートデータ１Ｄとを、その蓄積領域に蓄積している。以下、これらを総称するときは、「データ１Ａ〜１Ｄ」と言うこととする。
【００３２】
さらに、サーバ１には、データ１Ａ〜１Ｄの読み出し又は書き込み、あるいは該サーバ１自体の処理を行う処理部１ａと、端末美容機器２との通信を行う通信部１ｂとを備える。
【００３３】
一方、端末美容機器２は、例えば本実施例では、図示しない複数の子機を施術箇所周辺に貼着し、この子機から単体あるいは組み合わせた低・中周波を、複数の波形でしかも強度を変化させて出力することで、美容痩身効果を図るものであり、以下の構成となっている。
【００３４】
端末美容機器２は、サーバ１から出力された後述する施術プラン信号に基づいて該端末美容機器２を作動させる設定パターンが記憶され、例えば上記したように本実施例の場合、図７に示す例えば３２種の波形を施術プラン信号の指定に基づいて読み出し可能に記憶したパターンデータ２Ａと、図８に示す例えば５段階の出力強度を施術プラン信号の指定に基づいて読み出し可能に記憶した強度データ２Ｂとを蓄積している。
【００３５】
また、端末美容機器２は、この端末美容機器２において施術した施術プラン、後述する計測したデータを含め、該端末美容機器を作動させた全ての履歴を記憶した履歴データ２Ｃを蓄積している。以下、パターンデータ２Ａ、強度データ２Ｂ、履歴データ２Ｃを総称するときはデータ２Ａ〜２Ｃということとする。
【００３６】
さらに、端末美容機器２は、データ２Ａ〜２Ｃの読み出し又は書き込み、あるいは該端末美容機器２自体の処理を行う処理部２ａと、サーバ１との通信を行う通信部２ｂとを備えると共に、端末美容機器２を操作するためのオン・オフボタンやテンキーなどを含む操作部２ｃ、図３〜図５のように受信あるいは送信する信号を表示する表示部２ｄ、本実施例では端末美容機器２の上記した子機を意味する機器作動部２ｅ、及び体脂肪等を計測する計測部２ｆとを備える。
【００３７】
以上のように構成されたサーバ１と端末美容機器２とでなる本発明の美容システムは、サーバ１と端末美容機器２間で図２のように動作する。いま、サーバ１と端末美容機器２とは例えば電話回線（有線）にて双方向通信が可能な状態にある。ここで、サーバ１はサロン又は担当エステティシャンを意味し、端末美容機器２は客を意味する。
【００３８】
まず、客が端末美容機器２を購入し、使用可能な状態にすべく、例えば端末美容機器２によってサーバ２への専用回線に接続する（端末美容機器２側の処理１、以下Ｐ１と記す）。サーバ１は、端末美容機器２からの送信を受信し（サーバ１側の処理１、以下Ｓ１と記す）、端末美容機器２との認証を行う（Ｓ２，Ｐ２）。
【００３９】
サーバ１と端末美容機器２との認証は、端末美容機器２の識別番号が、例えばサーバ１が予め許容する番号と同じであるか否かを確認することで行われる。このとき、例えば端末美容機器２の表示部２ｄに注意事項及び確認事項並びに同意事項を表示して、サロンと客との契約を行うようにしてもよい。
【００４０】
認証確認が完了すると（Ｓ２，Ｐ２で共にＹＥＳ）、続いて、サーバ１側において、当該端末美容機器２が初めてか否かを判断し（Ｓ３）、いま、端末美容機器２が初めてサーバ１に接続したので、処理はＳ４に進む（Ｓ３でＹＥＳ）。なお、Ｓ３で、初めての客ではない場合は（Ｓ３でＮＯ）、処理はＳ６に進む。
【００４１】
なお、この「初めて」というのは、上記したように「端末美容機器２が初めてサーバ１に接続した」という意味もあるが、例えば「いま継続中の施術プランと異なる初めての施術プラン」という意味として、その旨判断するようにしてもよい。その場合、Ｓ３の処理は、後述するＳ６の前に行い、端末美容機器２から問診データ信号を受信してカルテデータ１Ａと比較したときに異なるときに「異なる初めての施術プラン」として判断するようにすればよい。
【００４２】
本実施例では、上記したように「端末美容機器２が初めてサーバ１に接続した」ということとして説明を続ける。Ｓ３でＹＥＳの後、サーバ１は、アンケートデータ１Ｄから、初めての客用の問診（アンケート）データを読み出し（Ｓ４）、端末美容機器２に問診データ信号を送信する（Ｓ５）。
【００４３】
問診データ信号を受信（Ｐ３）した端末美容機器２は、表示部２ｄに図３に示すように表示する。設問に対する回答は、操作部２ｃのテンキー（不図示）を用いて例えば設問１に対して回答が８の場合は「０１０８」といったように入力する（Ｐ４）。なお、この入力結果は、後のＰ６において履歴データ信号と共にサーバ１に送信する。
【００４４】
このとき、サーバ１では、Ｓ２で認証したデータに基づいて、いま、ここでは当該（端末美容機器２を使用する）客のカルテデータ１Ａを作成する。もちろん、初めてではない客については、既に蓄積しているカルテデータ１Ａを読み出すことになる（Ｓ６）。
【００４５】
一方、端末美容機器２においては、履歴データ２Ｃを読み出す（Ｐ５）。ここでは、初めての客であるから、履歴がない履歴データ２Ｃが読み出される。そして、上記Ｐ４で入力したデータと共にサーバ１に送信される。
【００４６】
上記したＰ６で送信したデータ信号を受信した（Ｓ７）サーバは、いま受信した問診データ信号に基づいてＳ６で作成した（読み出した）カルテデータ１Ａを再構成（追加又は修正書き込み）し、また、受信した履歴データ信号に基づいて履歴データ１Ｂを構成する（Ｓ８）。もちろん初めての客でない場合は、Ｓ８において端末美容機器２から送信された履歴データ信号に基づいて履歴データ１Ｂを再構成（追加書き込み）する。
【００４７】
なお、ここまでの説明で（再）構成されたカルテデータ１Ａは、例えば端末美容機器２の表示部２ｄにおいて表示されると、図４に示すようになる。カルテデータ信号を端末美容機器２で受信すると、履歴データ２Ｃなどと組み合わせて表示される。例えば図４では、上から客の個人データ、現状の身体データ、目標の身体データ、問診回答データ、履歴データが表示される。
【００４８】
図４において、個人データはＰ２の処理、目標の身体データ及び目標の身体データ並びに問診回答データはＰ４の問診データ入力処理、履歴データはＰ５の履歴データ２Ｃの読み出し処理、に各々基づいている。
【００４９】
端末美容機器２は、図１に示すように、操作部２ｃによって各種の入力が可能であると共に、計測部２ｆによって計測も可能である。この計測部２ｆにおける計測は、例えば体脂肪や体重を計測することを意味する。この計測部２ｆを使用したり、後述する施術プラン信号に基づかずに客が任意に作動させた場合も履歴データ２Ｃに記憶され、サーバ１に送信されるようになっている。
【００５０】
このように、端末美容機器２の作動履歴が全て履歴データ２Ｃに記憶され、サーバ１に送信されることで、例えば過度な端末美容機器２の使用による客の異常や、施術プランに基づかない勝手な使用を監視することができる。また、端末美容機器２の作動を監視することで、これら誤った使用をした際であっても、適切な施術プランを決定して端末美容機器２を制御することが可能となる。
【００５１】
サーバ１は、Ｓ８で客のカルテデータ１Ａと履歴データ１Ｂとを構成した後、これらに基づいて施術データ１Ｃから適切な施術プランを決定する。上記したように施術データ１Ｃは、図７に示す波形と時間のテーブルと、図８に示す強度と時間のテーブルとからなり、施術プランの決定は例えば図６に示すアルゴリズムによって行われる（Ｓ９）。
【００５２】
図７に示す施術データ１Ｃにおける波形は、例えば、低周波と中周波の単体又は組み合わせで大きくＡ〜Ｈのパターンに分別されている。これらＡ〜Ｈのパターンは、さらに各々ａ０〜ａ３のように４つに細分化されている。よって、３２種類の波形のパターンが端末美容機器２のパターンデータ２Ａに予め蓄積されていることになる。
【００５３】
しかし、客が任意に作動させることができる波形は、このうち、過度に作動させてもさほど問題のない５種類程度とされている。このようにすることで安全に端末美容機器２を使用することができ、サロンのノウハウを容易に盗用されることがない。
【００５４】
また、波形は、Ａ〜Ｈで施術箇所等で使い分けが決められている。そして、このテーブルは、１〜１２の施術時間が付され、各々５分単位とされている。よって、例えば６０分施術をする場合は、１〜１２の各欄で１つだけａ０〜ｈ３のいずれかが選出されることとなる。
【００５５】
一方、図８に示す施術データ１Ｃにおける強度は、例えば、出力レベルを５つに段階化し、図７同様１〜１２の施術時間が付され、各々５分単位とされている。よって、例えば６０分施術をする場合は、１〜１２の各欄で１つだけ１〜５のいずれかが選出されることとなる。
【００５６】
図６においては、次の処理が予め決定されている。すなわち（１）初めての客である場合は、カルテデータ１Ａと履歴データ１Ｂとを参照せず、アンケートデータ（問診データ）１Ｄに基づいて作成する。
【００５７】
（２）カルテデータ１Ａにおいて、通信時の現状値と目標値とを重視する設定がある場合はカルテデータ１Ａ、規定の日数や期間等を重視する場合は履歴データ１Ｂ、に基づいて作成する。
【００５８】
（３）カルテデータ１Ａにおいて、カルテデータ１Ａと履歴データ１Ｂとを勘案する設定がある場合は、各々の処理を行って決定した施術データ１Ｃのうちレベルの高い（低い）方を選択する。
【００５９】
いま、ここでの説明では、初めての客であるから、Ｓ８においてカルテデータ１Ａを修正したりすることはなく（処理１、以下＃１と記す、ＮＯ）、かつ履歴データ１Ｂを修正したりすることもないので（＃２でＮＯ）、単にカルテデータ１Ａとアンケートデータ１Ｄを読み出すだけとなる（＃３）。
【００６０】
続いて、カルテデータ１Ａ中の目標値と現状値とを比較し（＃４）、さらにアンケートデータ１Ｄの応答、例えば図３において設問４などを参照して（＃５）、さらにその他の要望を勘案し（＃６）、施術データ１Ｃから適切な波形と強度とを選出して（＃７）、施術プランを決定する（＃８）。
【００６１】
一方、初めての客ではなく、＃１でＳ８においてカルテデータ１Ａが修正されていた場合（＃１でＹＥＳ）、カルテデータ１Ａから前回の測定値と今回の測定値を読み出して比較し（＃１１）。この誤差レベルが所定の１〜２の場合（＃１２でＹＥＳ）は、前回と同じ施術プランに決定する（＃１３）。
【００６２】
以下、誤差レベルが所定の３〜５の場合（＃１４でＹＥＳ）は、施術データ１Ｃにおいてレベルを１上げる（＃１５）。なお、「レベルを上げる」とは、例えばさらに有効な波形にしたり、強度を上げることを総合的に行うことを意味する。誤差レベルが所定の６〜８の場合（＃１６でＹＥＳ）は、施術データ１Ｃにおいてレベルを２上げる（＃１７）。誤差レベルが所定の９〜１０の場合（＃１８でＹＥＳ）は、施術データ１Ｃにおいてレベルを３上げる（＃１９）。
【００６３】
＃１８において、誤差レベルが、１０より高いか、１より低い場合（＃１８でＮＯ）は、目標達成したか否かを判断し（＃２０）し、目標が達成していれば処理は終了し（＃２０でＹＥＳ）、つまり施術プランを決定せず、今回の施術を完了し、目標が達成していないならば（＃２０でＮＯ）、＃２に戻って、履歴データ１Ｂに基づくことにする。
【００６４】
一方、初めての客ではなく、＃２でＳ８において履歴データ１Ｂが修正され再構成されていた場合（＃２でＹＥＳ）、履歴データ１Ｂから今回の作動日と前回の作動日を読み出して比較する（＃２１）。この作動日の空き日数レベル（以下、履歴とびレベルという）が所定の１〜２の場合（＃２２でＹＥＳ）は、前回と同じ施術プランに決定する（＃２３）。
【００６５】
以下、履歴とびレベルが所定の３〜５の場合（＃２４でＹＥＳ）は、施術データ１Ｃにおいてレベルを１上げる（＃２５）。履歴とびレベルが所定の６〜８の場合（＃２６でＹＥＳ）は、施術データ１Ｃにおいてレベルを２上げる（＃２７）。履歴とびレベルが所定の９〜１０の場合（＃２８でＹＥＳ）は、施術データ１Ｃにおいてレベルを３上げる（＃２９）。
【００６６】
＃２９において、履歴とびレベルが、１０より高いか、１より低い場合（＃２９でＮＯ）は、目標達成したか否かを判断し（＃３０）し、目標が達成していれば処理は終了し（＃３０でＹＥＳ）、つまり施術プランを決定せず、今回の施術を完了し、目標が達成していないならば（＃３０でＮＯ）、＃３に戻って、カルテデータ１Ａやアンケートデータ１Ｄに基づくことにする。
【００６７】
図２に戻って、サーバ１は、このようにして決定した、例えば「１ａ２２」（最初の５分間はａ２の波形で強度が２）、「２ｃ１３」（次の５分間ｃ１の波形で強度が３）…といった番号が、施術プラン信号として端末美容機器２に送信される（Ｓ１０）。
【００６８】
端末美容機器２は、上記施術プラン信号を受信すると（Ｐ７）、表示部２ｄに施術プラン信号に基づいた端末美容機器２の使用方法が図５のように表示される。これにより正しくかつ効率的に端末美容機器２が使用できる。
【００６９】
さらに、端末美容機器２は、施術プラン信号に対応する波形と強度をパターンデータ２Ａ及び強度データ２Ｂから読み出し（Ｐ８）、機器作動部２ｅを制御して施術を行う（Ｐ９）。
【００７０】
そして、端末美容機器２において、施術が完了したときには、いま施術した履歴を履歴データ２Ｃに書き込み（Ｐ１０）、次回のサーバ１への送信に備える。一方、サーバ１においても、この履歴を当該客の履歴データ１Ｂとして書き込んでおく（Ｓ１１）。
【００７１】
その後、サーバ１と端末美容機器２において双方からの受信が有るか否かを確認し（Ｓ１２，Ｐ１１）、信号受信がなければ（Ｓ１２，Ｐ１１で共にＮＯ）、処理を終了する。一方、Ｓ１２で端末美容機器２からの送信信号を受信したら（Ｓ１２でＹＥＳ）、処理はＳ８に戻り、Ｐ１１でサーバ１からの送信信号を受信したら（Ｐ１１でＹＥＳ）、処理はＰ３に戻る。
【００７２】
なお、例えば本実施例の美容システムは、客が契約等を解除する旨の連絡を入れ、サロンにおいてサーバ１のリセットや客のデータのクリアがなされないかぎり、最初に設定した目標体重や体脂肪となるまで、上記した動作を端末美容機器２との双方向通信がなされる毎に行うようになっている。
【００７３】
【発明の効果】
以上のように、本発明の美容システムは、カルテデータ、施術データ、履歴データを蓄積したサーバと、パターンデータ、強度データ、履歴データを蓄積した端末美容機器とを双方向通信可能に接続し、サーバでは使用開始時に端末美容機器から送信されたカルテデータ及び履歴データを再構成した後、再構成された該カルテデータと該履歴データの少なくとも一方に基づいて施術データから施術プランを決定し、端末美容機器に対して出力し、端末美容機器では、サーバから出力された施術プランに基づいて、パターンデータ及び強度データを読み出して施術を行い、この施術の履歴を履歴データとして蓄積するようにしたので、サロンに通わなくても、常に最新の状況に基づいてサロンでエステティシャンが行うのと同様の施術が行える。
【００７４】
また、本発明は、上記に加えて、サーバにアンケートデータを蓄積し、サーバがこのアンケートデータを端末美容機器に出力し、端末美容機器から出力された応答データに基づいて施術プランを決定するようにすれば、より詳細で適切な施術を行うことができるようになる。
【００７５】
さらに、本発明は、上記に加えて、端末美容機器に計測部を備え、該端末美容機器が計測部による計測結果を送信し、サーバがこの計測結果を加えて施術プランを決定するようにすれば、さらに詳細で適切な施術を行えることが可能となり、客をトータル的に管理することができるようになる。
【図面の簡単な説明】
【図１】本発明の美容システムの構成を示す図である。
【図２】本発明の美容システムの動作を示す図である。
【図３】本発明の美容システムにおけるアンケートデータの一例を示す図である。
【図４】本発明の美容システムにおける履歴データを含むカルテデータの表示例を示す図である。
【図５】本発明の美容システムにおける施術プランの表示例を図である。
【図６】本発明の美容システムにおける施術プラン作成アルゴリズムの一例を示す図である。
【図７】本発明の美容システムの施術データ（パターンデータ）における波形種類の一例を示す図である。
【図８】本発明の美容システムの施術データ（強度データ）における強度段階の一例を示す図である。
【符号の説明】
１　サーバ
１Ａ　カルテデータ
１Ｂ　履歴データ
１Ｃ　施術データ
１Ｄ　アンケートデータ
２　端末美容機器
２Ａ　パターンデータ
２Ｂ　強度データ
２Ｃ　履歴データ
２ｆ　計測部
【図１】
2004054511.tif 000003
【図２】
2004054511.tif 000004
【図３】
2004054511.tif 000005
【図４】
2004054511.tif 000006
【図５】
2004054511.tif 000007
【図６】
2004054511.tif 000008
【図７】
2004054511.tif 000009
【図８】
2004054511.tif 000010